(57)【要約】【課題】本発明の課題は、発話者の口から出てくる音声を外部に漏音することを防止したマイクロフォンを提供することである。【解決手段】本発明の漏音防止マイクロフォンは、発話者の音声を拾うマイクロフォン部と、これを内部に包含し、包含した側は閉じられていることで遮音性を有し、かつ、取付け時に口に向き合う側は開口した覆い部と、発話者の口の前にマイクロフォン部と覆い部とを付設するための付設具とを備えている。【選択図】図１
2016005045.tif 000002
【特許請求の範囲】
【請求項１】
発話者の口の前に取り付けられるものであって、
前記発話者の音声を拾うマイクロフォン部と、これを内部に包含し、包含した側は閉じられていることで遮音性を有し、かつ、前記取付け時に口に向き合う側は開口した覆い部と、前記発話者の口の前に前記マイクロフォン部と前記覆い部とを付設するための付設具とを備えたことを特徴とする漏音防止マイクロフォン。
【請求項２】
前記覆い部の内面は、反射音の発生が少ない吸音性の素材で構成されていることを特徴とする請求項１記載の漏音防止マイクロフォン。
【請求項３】
前記覆い部の前記口への皮膚接触側は、
前記発話者の口の周りにぴったり付けて使用したい場合に対応して、皮膚との接触感又は遮音性がよい素材として、スポンジ状柔軟性素材、低反発材料のいずれか１つで構成されていることを特徴とする請求項１又は請求項２に記載の漏音防止マイクロフォン。
【請求項４】
前記覆い部は、前記口をカバーするマスクであることを特徴とする請求項１から請求項３のいずれか１つに記載の漏音防止マイクロフォン。
【発明の詳細な説明】
【技術分野】
【０００１】
本発明は、互いの音声を聞きあえる環境において複数者が音声入力処理装置を使用する場合に、互いに騒音にならないように話者の音声が外部に漏音しない構造のマイクロフォンに関するものである。
【背景技術】
【０００２】
従来のマイクロフォンは、マイクロフォンに発話者が音声を入力すると、外部にも音声が漏音してしまう構造をもっている。
更に、音声入力では、特殊なマイクロフォンもあって、特許文献１から特許文献３に示されている。いずれも、喉の周りの皮膚に当接して、咽頭の中から骨、肉を伝わってくる音をとらえるもので、外部に漏れる音はないので分野が違っている。そして、これらの音では、声帯振動が、喉や鼻の中で共鳴していないまだ音声になっていない音を拾うものもある。
特許文献１のものは、所謂、骨伝導マイクで普通は耳の裏に押し当て、そこに位置する頭骨を伝わる音を拾うものである。
特許文献２のものは、皮膚表面に密着させて、人体を伝搬する非可聴つぶやき音声（ＮＡＭ）を拾うものである。
特許文献３のものは、首周囲部に当接させて、咽頭内の音を拾うものである。通常のマイクロフォンでは、口から出てくる音を拾うが、外部に漏らさないようにする手段を持つものがない。
【先行技術文献】
【特許文献】
【０００３】
【特許文献１】特開２００６−２０２４７
【特許文献２】特開２００８−４２７４０
【特許文献３】特開２００５−１１７５３６
【発明の概要】
【発明が解決しようとする課題】
【０００４】
本発明の課題は、発話者の口から出てくる音声を外部に漏音することを防止したマイクロフォンを提供することである。
【課題を解決するための手段】
【０００５】
発話者の口の前に取り付けられるものであって、
発話者の音声を拾うマイクロフォン部と、これを内部に包含し、包含した側は閉じられていることで遮音性を有し、かつ、取付け時に口に向き合う側は開口した覆い部と、発話者の口の前にマイクロフォン部と覆い部とを付設するための付設具とを備えている。
以下詳述する。
【０００６】
請求項１記載の発明は、漏音防止マイクロフォンであって、
発話者の口の前に取り付けられるものであり、
前記発話者の音声を拾うマイクロフォン部と、これを内部に包含し、包含した側は閉じられていることで遮音性を有し、かつ、前記取付け時に口に向き合う側は開口した覆い部と、前記発話者の口の前に前記マイクロフォン部と前記覆い部とを付設するための付設具とを備えたことを特徴とする。
【０００７】
請求項２記載の発明は、請求項１記載の漏音防止マイクロフォンにおいて、
前記覆い部の内面は、反射音の発生が少ない吸音性の素材で構成されていることを特徴とする。
【０００８】
請求項３記載の発明は、請求項１又は請求項２に記載の漏音防止マイクロフォンにおいて、
前記覆い部の前記口への皮膚接触側は、
前記発話者の口の周りにぴったり付けて使用したい場合に対応して、皮膚との接触感又は遮音性がよい素材として、スポンジ状柔軟性素材、低反発材料のいずれか１つで構成されていることを特徴とする。
【０００９】
請求項４記載の発明は、請求項１から請求項３のいずれか１つに記載の漏音防止マイクロフォンにおいて、
前記覆い部は、前記口をカバーするマスクであることを特徴とする。
【発明の効果】
【００１０】
以上のように構成されているので本発明の漏音防止マイクロフォンでは、発話者の口から出てくる音声を外部に漏音することを防止、また、他からの漏音も防止できる。
【図面の簡単な説明】
【００１１】
【図１】本発明の漏音防止マイクロフォンの一実施態様を示す図である。
【図２】本発明の漏音防止マイクロフォンの使用状態の一実施態様を示す図である。
【図３】本発明の漏音防止マイクロフォンの別の一実施態様を示す図である。
【発明を実施するための形態】
【００１２】
図１は、本発明の漏音防止マイクロフォンの一実施態様を示す図である。
１−Ａにおいて、
音を拾うマイクロフォン部１１０とこれを内部に包含し、包含した側は閉じられ、使用時に口に向かう側は開口した覆い部１２０と、発話者の口の前にマイクロフォン部１１０と覆い部１２０を付設するための付設具１３０とを備えている。
マイクロフォン部１１０は、圧電マイクロフォンやコンデンサマイクロフォンなど市販のどのタイプのものも使用できる。指向性があると好都合である。
覆い部１２０は、発話者の口からの音声を外に漏らさない遮音性があればよい。内面が反射音の発生が少ない吸音性の素材で構成されていると、マイクロフォンに入る音声が反射音が入らなくてよい。又、覆い部１２０は、発話者の口の周りにぴったり付けて使用したい場合は、皮膚との接触感又は遮音性がよい素材、例えば、スポンジ状柔軟性素材、低反発材料などで覆い部１２０の皮膚接触側が構成されていると好都合である。
付設具１３０は、耳にかけるものを示しているが、頭に付けるもの、首につけるものなど形状は自在に変形が可能である。
１−Ｂは、覆い部１２０の開口を上にして、その周辺を示している。番号は、１−Ａに準じている。
【００１３】
図２は、本発明の漏音防止マイクロフォンの使用状態の一実施態様を示す図である。付設具１３０の耳かけ部によって、覆い部１２０が発話者２００の口２１０の前に付設されている。
【００１４】
図３は、本発明の漏音防止マイクロフォンの別の一実施態様を示す図である。
１−Ａで説明した覆い部１２０が口の周りを覆うマスク覆い３１０状になっている。設具１３０に対応するマスクかけ具３２０がある。マスクの中には、マイクロフォン部１１０がある。
【産業上の利用可能性】
【００１５】
以上のように構成されているため、本発明の漏音防止マイクロフォンでは、発話者の口から出てくる音声を外部に漏音することを防止、また、他からの漏音も防止できるので、産業上利用性が極めて大きい。
【符号の説明】
【００１６】
１１０  マイクロフォン部
１２０  覆い部
１３０  付設具
２００  発話者
２１０  口
３１０  マスク覆い
３２０  マスクかけ具
【図１】
2016005045.tif 000003
【図２】
2016005045.tif 000004
【図３】
2016005045.tif 000005